(57)【要約】      （修正有）【課題】コスト的に採算のとれなかった魚、例えば食に不向きな魚や小魚その他の雑魚を最適な大きさの魚肉ミンチにして海や川を汚染することのない撒き餌を製造できるようにした撒き餌の製造装置を提供する。【解決手段】撒き餌の製造装置は、魚をミンチにする魚肉チョッパーと冷凍設備３１から構成する。魚肉チョッパーはホッパー１０を備え、ホッパーの前端には加圧筒１１が形成され、ホッパー底部から加圧筒に向けて回転軸１２が回転自在に軸装され、回転軸には駆動モータ１６が連結され、回転軸の外周には鋸歯状のスクリュー１３が形成され、加圧筒の先端には押出孔を有するプレート１４が設けられ、ホッパー上側には加圧盤２０が設けられ、加圧盤には駆動シリンダ２１が設けられており、ホッパーに投入された魚がスクリューに向けて加圧される。冷凍設備は魚肉ミンチを選択された大きさの板状に冷凍する。【選択図】図１
0003233087.tif 000002
【実用新案登録請求の範囲】
【請求項１】
魚肉チョッパー（３０）と冷凍設備（３１）とから構成され、魚から撒き餌を製造する製造装置において、
魚肉チョッパー（３０）はホッパー（１０）を備え、該ホッパー（１０）の前端には加圧筒（１１）が形成され、上記ホッパー（１０）底部から加圧筒（１１）に向けて回転軸（１２）が回転自在に軸装され、上記回転軸（１２）には駆動手段（１６）が連結され、上記回転軸（１２）の外周にはスクリュー（１３）が形成され、該スクリュー（１３）の外縁部は鋸歯状をなし、上記加圧筒（１１）の先端には押出孔を有するプレート（１４）が設けられ、上記ホッパー（１０）上側には加圧盤（２０）が設けられ、該加圧盤（２０）には駆動機構（２１）が設けられており、上記ホッパー（１０）に投入された魚がスクリュー（１３）に向けて加圧されるようになっている一方、
上記冷凍設備（３１）は魚肉ミンチを選択された大きさの板状に冷凍するようになっていることを特徴とする撒き餌の製造装置。
【考案の詳細な説明】
【技術分野】
【０００１】
本考案は撒き餌の製造装置に関し、特にコスト的に採算のとれなかった魚、例えば食に不向きな魚や小魚その他の雑魚を最適な大きさのミンチにして撒き餌を製造できるようにした撒き餌の製造装置に関する。
【背景技術】
【０００２】
撒き餌は魚をおびき寄せ、効率よく魚を釣るために必要である。海釣りや川釣りの場合、むやみに仕掛けを投入しても魚は集まってこないので、仕掛けと併せて撒き餌を投入することで釣れる確率が格段に上る。撒き餌の材料はオキアミやアミエビ、釣り用の配合餌がある。
【０００３】
うき釣りの場合には撒き餌を杓で撒き、サビキ釣りやカゴ釣りの場合にはコマセ袋やカゴに入れて仕掛けを投入し、撒き餌を水中で徐々に散らせながら魚を釣ることが行われている（特許文献１）。
【０００４】
漁業では目的とする種類以外に、食に不向きな魚や小魚その他の雑魚がとれるが、これを市場まで運搬しようとすると、運賃が高くなってしまい、採算がとれないことから、海に戻すか、廃棄するしかなかった。
【０００５】
これに対し、本件考案者は魚をミンチにするようにした魚肉チョッパーにおいて、ホッパーの前端には加圧筒が形成され、上記ホッパー底部から加圧筒に向けて回転軸が回転自在に軸装され、上記回転軸には駆動手段が連結され、上記回転軸の外周にはスクリューが形成され、上記加圧筒の先端には押出孔を有するプレートと放射状のナイフとが設けられる一方、上記ホッパー上側には加圧盤が設けられ、該加圧盤には駆動機構が設けられており、上記ホッパーに投入された魚がスクリューに向けて加圧されるようになっている魚肉チョッパーを提案するに至った（特許文献２）。
【先行技術文献】
【特許文献】
【０００６】
【特許文献１】特許第６６５３０３０号公報
【特許文献２】実用新案登録第３１９５２０７号公報
【考案の開示】
【考案が解決しようとする課題】
【０００７】
ところで、多くの釣り人が多量のオキアミ、アミエビ、配合餌を水中で徐々に散らせながら撒いているので、海底や川底に撒き餌が残存して海や川を汚染してしまうおそれがある。
【０００８】
本考案はかかる点に鑑み、コスト的に採算のとれなかった魚、例えば食に不向きな魚や小魚その他の雑魚を最適な大きさの魚肉ミンチにして海や川を汚染することのない撒き餌を製造できるようにした撒き餌製造装置を提供することを課題とする。
【課題を解決するための手段】
【０００９】
そこで、本考案に係る撒き餌の製造装置は、魚肉チョッパーと冷凍設備とから構成され、魚から撒き餌を製造する製造装置において、魚肉チョッパーはホッパーを備え、該ホッパーの前端に加圧筒を形成し、ホッパー底部から加圧筒に向けて回転軸を回転自在に軸装し、回転軸には駆動手段を連結し、回転軸の外周にはスクリューを形成し、スクリューの外縁部を鋸歯状となし、加圧筒の先端には押出孔を有するプレートと放射状のナイフとを設け、ホッパー上側には加圧盤を設け、加圧盤には駆動機構を設け、ホッパーに投入された魚をスクリューに向けて加圧するようになっている一方、冷凍設備は魚肉ミンチを選択された大きさに冷凍するようになっていることを特徴とする。
【００１０】
本考案の特徴の１つは魚肉チョッパーのスクリューの外縁部を鋸歯状となすようにした点にある。これにより、雑魚を所望の大きさの魚肉ミンチにすることができ、これを撒き餌に用いると、海底や川底の魚肉ミンチは他の魚の餌となりやすいとともに、分解されやすく、海や川を汚染するおそれが少ない。
【００１１】
また、所望の大きさの魚肉ミンチにすることができるので、所望の大きさの魚肉ミンチを所望の大きさに冷凍することによって、撒き餌を確実に海底や川底に到達させることができ、その後に撒き餌が分散されることとなって目的の魚を集魚することができ、海底や川底の魚肉ミンチは他の魚の餌となりやすいとともに、分解されやすく、海や川を汚染するおそれが少ない。
【００１２】
本件考案者が種々試作を重ねたところ、本件の魚肉チョッパーでミンチにした適切な魚肉ミンチをほぼ２０ｃｍ×３０ｃｍの矩形状で、厚さ２ｃｍ程度の板状に成型し、碁盤のように格子状に溝を入れて冷凍すると、魚釣り時適当な大きさ、たとえば潮流の速さや海底までの深さになどによってきまる大きさに小割し、海中に投入すると、魚肉ミンチの塊が海底に到達した段階で魚肉ミンチの塊が解凍し周囲に分散するので、目的の魚を効率よく無駄なく集魚でき、魚肉ミンチの残存も少なくできることが確認できた。
【図面の簡単な説明】
【００１３】
【図１】本考案に係る撒き餌の製造装置の好ましい実施形態    を示す概略図である。
【考案を実施するための形態】
【００１４】
以下、本考案を図面に示す具体例に基づいて詳細に説明する。図１は本考案に係る撒き餌の製造装置の好ましい実施形態を示す。図において、撒き餌の製造装置は魚肉チョッパー３０と冷凍装置３１とから構成され、魚肉チョッパー３０はホッパー１０を備え、ホッパー１０は上方が開放されたボックス状をなし、ホッパー１０の前端には加圧筒１１が形成され、ホッパー１０底部から加圧筒１１内には回転軸１２が軸受１７によって回転自在に軸装され、回転軸１２には駆動モータ１６が連結されている。
【００１５】
また、回転軸１２の外周にはらせん状のスクリュー１３がほぼ全長にわたって設けられ、スクリュー１３の外縁部は鋸歯状に形成され、又加圧筒１１の先端開口には押出孔を有するプレート１４が固定されるとともに、回転軸１２の先端には放射状のナイフ１５が設けられている。
【００１６】
さらに、ホッパー１０上側には加圧盤２０が設けられ、加圧盤２０には駆動シリンダ２１のロッド２１Ａが連結され、加圧盤２０はホッパー１０に対して上下駆動されるようになっている。
【００１７】
また、冷凍設備３０は１つの撒き餌に適した大きさの例えば矩形状の容器３０Ａを備え、容器３０Ａは上面が開放され、魚肉チョッパー３０によってミンチされた魚肉ミンチを受けて最適な大きさの冷凍撒き餌を製造できるようになっている。
【００１８】
雑魚から撒き餌を製造する場合、図１に示されるように、雑魚をホッパー１０に投入し、加圧盤２０を下方に駆動すると、投入された雑魚が鋸歯状スクリュー１３に向けて加圧されて押しつけられる。
【００１９】
他方、駆動モータ１６を駆動すると、回転軸１２が鋸歯状スクリュー１３とともに回転される。すると、投入され、鋸歯状スクリュー１３に押しつけられた雑魚が鋸歯状スクリュー１３にかみ込まれ、鋸歯状スクリュー１３の回転に伴って前方に送られ、プレート１４とナイフ１５とによって最適な大きさのミンチにされて押し出される。
【００２０】
魚肉ミンチは冷凍設備３１の容器３１Ａに受けられ、容器３１Ａが満杯なると、魚肉ミンチの表面に格子状に溝を入れて冷凍設備３１に投入すると、板状の魚肉ミンチが冷凍される。そこで、魚釣り時に冷凍設備３１から容器３１Ａを取り出し、冷凍された魚肉ミンチを取り出し、格子状の溝によって小割りすると、冷凍撒き餌の塊が得られ、これをそのまま仕掛け近くの海中に投入する。海底に到達し、海水温によって徐々に解凍されて崩れて分散され、目的の魚を集魚できる。
【００２１】
以上のように、雑魚を所望の大きさの魚肉ミンチにすることができ、所望の大きさの魚肉ミンチを所望の大きさに冷凍することによって、冷凍された適切な大きさの撒き餌が得られ、これを確実に海底や川底に到達させることができ、その後に撒き餌が海水温度によって解凍されて分散されることとなって目的の魚を集魚することができ、海底や川底の魚肉ミンチは他の魚の餌となりやすいとともに、分解されやすく、海や川を汚染するおそれが少ない。
【符号の説明】
【００２２】
１０      ホッパー
１１      加圧筒
１２      回転軸
１３      スクリュー
１４      プレート
１６      駆動モータ
２０      加圧盤
２１      駆動シリンダ
３０      魚肉チョッパー
３１      冷凍設備
【図１】
0003233087.tif 000003